(57)【特許請求の範囲】
【請求項１】
熱間圧延材に生じた表面スケールを高圧水の噴射により除去するデスケーリング装置であって、
前記高圧水としてフラットパターンの主水流を噴射する主噴射口を有するデスケーリングノズルと、前記主水流の厚み方向の少なくとも一方の側から前記主水流に沿って該主水流を覆うための被覆気流を噴射する気流噴射口を有する気流噴射装置とを備え、
前記気流噴射口は、前記デスケーリングノズルの主噴射口よりも５〜１００ｍｍ噴射方向の上流に設けられるとともに、前記デスケーリングノズルの中心軸に対して５°〜３５°の角度で主水流側に向けて前記被覆気流を噴射するように構成されており、
前記被覆気流の噴射圧力は、前記主水流の噴射圧力が１５ＭＰａ以上のときに、前記主水流の噴射圧力の０．０１５倍〜０．０３０倍の範囲に設定されていることを特徴とするデスケーリング装置。
【請求項２】
熱間圧延材に生じた表面スケールを高圧水の噴射により除去するデスケーリング方法であって、
請求項１に記載のデスケーリング装置を用い、
前記高圧水としてフラットパターンの主水流を噴射するとともに、その主水流の厚み方向の少なくとも一方の側から主水流に沿って該主水流を覆う被覆気流を噴射し、
前記被覆気流の噴射圧力を、前記主水流の噴射圧力が１５ＭＰａ以上のときに、前記主水流の噴射圧力の０．０１５倍〜０．０３０倍にすることを特徴とするデスケーリング方法。
【発明の詳細な説明】
【技術分野】
【０００１】
本発明は、熱延鋼帯や厚板鋼板等、板状の熱間圧延材を圧延する際に、その熱間圧延材表面に生じるスケールを除去するためのデスケーリング装置およびデスケーリング方法に関する。
【背景技術】
【０００２】
熱間圧延材の圧延ラインでは、熱間圧延材を酸化性雰囲気の加熱炉に装入し、通常、１１００〜１３００℃の温度域で数時間加熱した後に熱間圧延する。熱間圧延の際には、熱間圧延材の表面に、加熱炉内では一次スケールが生じ、加熱炉から抽出後には二次スケールが生じる。このようなスケールが除去されずに熱間圧延材が圧延されると、製品である熱間圧延材表面にスケールが食い込み、スケール疵となって残る。スケール疵は、熱間圧延材の表面性状を著しく損なうとともに、曲げ加工時にクラック発生の基点となるため、製品品質に重大な影響を及ぼす。
【０００３】
そこで、従来から、熱間圧延材表面に生じるスケールを除去するために、デスケーリング装置を用い、熱間圧延材の表面に高圧水を噴射してスケールを除去するデスケーリング（以下、単に「デスケ」ともいう）が行われている。ここで、従来のデスケーリング技術においては、デスケーリング効率を向上させるために、ノズル構造を最適化したり、高圧水の噴射圧力や、噴射距離、噴射角度などの条件制御を行っている。
例えば特許文献１には、デスケーリングノズルから鋼板までのデスケーリング距離を１５０ｍｍ以下にするとともに、ノズルから４０ＭＰａ以上の吐出圧力で高圧水を吐出させるデスケーリング技術が開示されている。また、例えば特許文献２記載の技術では、デスケーリングノズルの内部構造を最適化する提案がなされている。
【０００４】
しかし、特許文献１記載の技術では、鋼板表面から１５０ｍｍ以下のデスケーリング距離から吐出圧力４０ＭＰａ以上という高圧水を噴射しなければならないので、熱間圧延材表面の変動や、設備の取り合い等の制約から実用が困難な場合があったり、また、高圧ポンプを導入するための設備コストや電力コストが高価になるという問題がある。また、特許文献２記載の技術では、デスケーリングノズルの内部構造を最適化する提案がなされているものの、デスケーリングノズル単体での内部構造の最適化では、デスケーリング効率を向上させる上でノズル構造上の限界があるという問題がある。
【０００５】
このような問題に対し、例えば特許文献３ないし４には、デスケーリングノズルに気流噴射装置を付設し、この気流噴射装置を用いて、ノズルからの主水流に沿って主水流を覆うように気体を噴射することにより液滴の減速を抑制し、デスケーリングノズル単体のものよりもデスケーリング効率を向上させる技術（以下、「エアアシスト技術」ともいう）も提案されている。エアアシスト技術を採用すれば、比較的に簡単な構造の気流噴射装置を付加するだけでスケール除去能力を向上させることができる。
ここで、特許文献３では、エアアシスト技術での条件制御に際し、「気体ジェットの噴出速度を液体ジェットの噴出速度以上とする」と記載されている。しかし、同技術を実用化するにあたり、気体の噴出速度を圧延ライン上で計測することは容易ではない。そのため、噴出速度自体をパラメータとした条件制御は実用上困難である。
【０００６】
一方、特許文献４では、エアアシスト技術での条件制御について、主水流の噴射圧力を、被覆気流の噴射圧力の７０倍以上に調整すると記載され、また、被覆気流の噴射流量を主水流の噴射流量の１０倍以上とすれば、被覆気流による効果を向上できると記載されている。一般に、噴出速度と噴射圧力とは正の相関があるから、噴射圧力の制御によって噴出速度を実質的に制御することができる。そして、圧力制御であれば、主水流や気流を供給する管路に圧力計を付設すればよいので、パラメータとして圧力に基づいて制御することは実用上も好適である。
【先行技術文献】
【特許文献】
【０００７】
【特許文献１】特許第３９２４３９０号公報
【特許文献２】特開２００９−１０１４１１号公報
【特許文献３】特開平１０−３２３７１０号公報
【特許文献４】特開２０１２−１８３４９７号公報
【発明の概要】
【発明が解決しようとする課題】
【０００８】
しかしながら、特許文献４では、主水流の噴射圧力に対して被覆気流の噴射圧力を変化させたとき、その圧力変化によって熱間圧延材のデスケーリング効率が如何に変るかという点については明記されていない。そのため、エアアシスト技術での条件制御に際し、主水流の噴射圧力と被覆気流の噴射圧力との関係を適切に設定したり、設備コストや電力コストに対するデスケーリング効率の向上効果を適切に評価する上では未だ検討の余地が残されている。
そこで、本発明は、このような問題点に着目してなされたものであり、エアアシストを伴うデスケーリング技術において、パラメータとして圧力に基づいた条件制御を行うに際し、水流の噴射圧力と被覆気流の噴射圧力との関係を適切に設定して、デスケーリング効率をより向上させ得るデスケーリング装置およびデスケーリング方法を提供することを目的とする。
【課題を解決するための手段】
【０００９】
本発明者らは、主水流の噴射圧力に対して被覆気流の噴射圧力を変化させたときに、被覆気流の噴射圧力の変化によって熱間圧延材のデスケーリング効率が如何に変るかという点について適切な評価を行うべく、熱間圧延材の試験用鋼板に対し、エアアシストを伴う場合とエアアシストを行わない場合によるスケール除去比較実験をそれぞれ行い、デスケーリング効率の向上効果を確認した。その結果、本発明者らの比較実験によれば、特許文献４に開示されるエアアシスト技術において、実際には、主水流の噴射圧力を被覆気流の噴射圧力の７０倍以上に調整すると、デスケーリング効率が低下することが確認された。
【００１０】
そこで、本発明者らは、更に上記スケール除去比較実験を重ねて行ったところ、主水流の噴射圧力に対して被覆気流の噴射圧力を変化させたとき、被覆気流の噴射圧力を、主水流の噴射圧力に対して所定範囲内としてデスケを行ったときは、エアアシストを行わない通常のデスケを行ったときに比べてデスケーリング効率（スケール除去率）の向上効果が確認されたのに対し、この範囲を外れるとスケール除去率が減少し、通常のデスケに対するデスケーリング効率の向上効果が十分に得られないという知見を得て、本発明を完成するに至った。
【００１１】
すなわち、上記課題を解決するために、本発明の一態様に係るデスケーリング装置は、熱間圧延材に生じた表面スケールを高圧水の噴射により除去するデスケーリング装置であって、前記高圧水としてフラットパターンの主水流を噴射する主噴射口を有するデスケーリングノズルと、前記主水流の厚み方向の少なくとも一方の側から前記主水流に沿って該主水流を覆うための被覆気流を噴射する気流噴射口を有する気流噴射装置とを備え、前記気流噴射口は、前記デスケーリングノズルの主噴射口よりも５〜１００ｍｍ噴射方向の上流に設けられるとともに、前記デスケーリングノズルの中心軸に対して５°〜３５°の角度で主水流側に向けて前記被覆気流を噴射するように構成されており、前記被覆気流の噴射圧力は、前記主水流の噴射圧力が１５ＭＰａ以上のときに、前記主水流の噴射圧力の０．０１５倍〜０．０３０倍の範囲に設定されていることを特徴とする。
【００１２】
また、本発明の一態様に係るデスケーリング方法は、熱間圧延材に生じた表面スケールを高圧水の噴射により除去するデスケーリング方法であって、本発明の一態様に係るデスケーリング装置を用い、前記高圧水としてフラットパターンの主水流を噴射するとともに、その主水流の厚み方向の少なくとも一方の側から主水流に沿って該主水流を覆う被覆気流を噴射し、前記被覆気流の噴射圧力を、前記主水流の噴射圧力が１５ＭＰａ以上のときに、前記主水流の噴射圧力の０．０１５倍〜０．０３０倍にすることを特徴とする。
【００１３】
本発明によれば、エアアシストを伴うデスケーリング技術において、パラメータとして圧力に基づいた条件制御を行うに際し、気流噴射口は、デスケーリングノズルの主噴射口よりも５〜１００ｍｍ噴射方向の上流に設けられるとともに、デスケーリングノズルの中心軸に対して５°〜３５°の角度で主水流側に向けて被覆気流を噴射するように構成されたデスケーリング装置により、被覆気流の噴射圧力を、主水流の噴射圧力が１５ＭＰａ以上のときに、主水流の噴射圧力の０．０１５倍〜０．０３０倍で噴射するので、後の実施形態にて詳述するように、エアアシストを行わない通常のデスケを行ったときに比べて１．３倍程度のデスケーリング効率（スケール除去率）を向上させることができる。一方、この範囲を外れるとスケール除去率が減少し、通常のデスケに対するデスケーリング効率の向上効果が十分に得られない。
よって、本発明によれば、水流の噴射圧力と被覆気流の噴射圧力との関係を適切に設定することができ、デスケーリング効率（スケール除去率）を向上させることができる。
また、本発明によれば、被覆気流の噴射圧力の変化に応じたデスケーリング効率（スケール除去率）が明確とされるので、設備コストや電力コストに応じたデスケーリング能力の向上の度合いを適切に評価することができる。
【００１４】
また、本発明によれば、噴射圧力の制御によって、被覆気流の噴出速度を実質的に制御することができる。つまり、圧力制御であれば、主水流や気流を供給する管路に圧力計を付設すればよいので、パラメータとして圧力に基づいて制御することは実用上好適であるところ、実用化における被覆気流の噴射圧力の好適範囲が明確となったので、圧延ラインでデスケ対象となる熱間圧延材の材料成分等に応じ、デスケーリング効率（スケール除去率）を向上させつつも、経済的な被覆気流の噴射圧力を適宜設定することができる。
【発明の効果】
【００１５】
上述のように、本発明によれば、エアアシストを伴うデスケーリング技術において、パラメータとして圧力に基づいた制御を行うに際し、水流の噴射圧力と被覆気流の噴射圧力との関係を適切に設定して、デスケーリング効率を向上させることができる。
【図面の簡単な説明】
【００１６】
【図１】本発明の一態様に係るデスケーリング方法を実施する本発明の一態様に係るデスケーリング装置の一実施形態を説明する模式図である。
【図２】気流噴射装置を有するデスケーリングノズルの説明図であり、同図（ａ）はその正面図、（ｂ）は平面図、（ｃ）は（ａ）での左側面図であり、同図（ａ）の上半分は軸線に沿った断面を示している。
【図３】エアアシストを伴うデスケおよび通常のデスケによるスケール除去比較実験の装置構成を説明する模式図であり、同図（ａ）はその正面図、（ｂ）は平面図である。
【図４】スケール除去比較実験の試験用鋼板表面を撮像した画像イメージを示しており、同図（ａ）〜（ｄ）の順に、被覆気流の噴射圧力を、０．１、０．３、０．４、０．５ＭＰａとしてスケール除去を行った結果（画像イメージ下側）と、通常のデスケによるスケール除去を行った結果（画像イメージ上側）である。
【図５】図４の各試験用鋼板表面の撮像画像のスケール除去部分を画像処理により面積に換算した結果を示すグラフである。
【発明を実施するための形態】
【００１７】
以下、本発明の一実施形態について図面を適宜参照しつつ説明する。なお、本実施形態のデスケーリング装置は、加熱炉内でまたは圧延中にスケール除去対象材となる熱間圧延材表面に生じたスケールをデスケーリングノズルから噴射する高圧水により除去するものである。
図１に示すデスケーリング装置１０は、不図示の圧延機等の設備に付設され、同図の例では、設備側には複数の搬送ロール７が配置されており、搬送ロール７上に載置された熱間圧延材Ｈは、搬送方向Ｆに沿って搬送可能とされている。そして、搬送される熱間圧延材Ｈの上方に、デスケーリング装置１０が設けられている。
【００１８】
同図に示すように、デスケーリング装置１０は、熱間圧延材Ｈの幅方向（同図の紙面方向）に沿って配置されたヘッダ２を有し、このヘッダ２に複数のデスケーリングノズル１が固定されている。各デスケーリングノズル１は、高圧水Ｐを噴射する略楕円形状の主噴射口１ｆをノズル先端に有し、この主噴射口１ｆから噴射される高圧水（主水流）Ｐの噴射横断面の形状が略楕円形状となるフラットパターンの主水流を噴射可能に構成されている。
複数のデスケーリングノズル１は、ヘッダ２の長手方向（熱間圧延材Ｈの幅方向）に所定距離だけ相互に離隔して配置されるとともに、熱間圧延材Ｈの表面に対し、所定の噴射距離Ｓおよび噴射角度θをもって装着されている。本実施形態の例では、噴射距離Ｓは１５０ｍｍとされ、また、噴射角度θは２５°のものを用いている。
【００１９】
そして、各デスケーリングノズル１は、高圧水供給路３にそれぞれ接続され、高圧水供給路３から供給された高圧水を、上記主噴射口１ｆから熱間圧延材Ｈの表面に向けて噴射し、複数のデスケーリングノズル１の協働により、熱間圧延材Ｈの表面に対し、その全幅に亘ってスケールを除去可能になっている。なお、高圧水供給路３には圧力計５が付設され、この圧力計５により主水流の噴射圧力を管理可能となっている。なお、主水流の噴射圧力は１５ＭＰａ以上であることが好ましい。本実施形態では、主水流の噴射圧力は１５ＭＰａに設定されている。
【００２０】
さらに、このデスケーリング装置１０は、気流噴射ノズル３１から被覆気流Ａを噴射する気流噴射装置３０を備えている。気流噴射ノズル３１は、各デスケーリングノズル１の主噴射口１ｆから噴射する高圧水Ｐに沿って高圧水Ｐを覆う被覆気流Ａをつくるように設けられている。なお、この例では、気流噴射ノズル３１から噴射する気体として空気を用いた例であるが、その他の気体として例えば不活性ガスを使用することもできる。
詳しくは、図１に示すように、気流噴射装置３０は、各デスケーリングノズル１に付設されており、主水流Ｐを被覆するための被覆気流を噴射する気流噴射ノズル３１と、気流噴射ノズル３１の基端部に接続された圧縮気体供給路４とを有する。圧縮気体供給路４には圧力計６が付設され、この圧力計６により被覆気流Ａの噴射圧力を管理可能となっている。
【００２１】
本実施形態の例では、気流噴射装置３０は、図２にノズル先端部を示すように、略円筒状のデスケーリングと略一体に設けられている。この例では、気流噴射装置３０は、二つの六角ナット状部材の組から構成され、デスケーリングノズル１と同軸にその外周に螺着されている。気流噴射装置３０は、六角ナット状部材の内部に、主噴射口１ｆの上下の位置に対応した二つの流路が気流噴射ノズル３１として加工されている。上下の各気流噴射ノズル３１は、同図（ｃ）に示すように、主噴射口１ｆの長軸軸線Ｌ１に略並行して配置された複数（この例では６か所）の気流噴射口３２を有する。複数の気流噴射口３２は、略楕円形状の主噴射口１ｆに対し、その長軸軸線Ｌ１の上下方向（直線Ｌ２に沿った方向）に離隔して配置され、噴射する被覆気流Ａが主水流Ｐをその厚み方向から挟むように被覆可能になっている。
【００２２】
ここで、上下の気流噴射ノズル３１の気流噴射口３２は、デスケーリングノズル１の高圧水の主噴射口１ｆよりも５〜１００ｍｍ（同図（ａ）の符号ｄ）だけ噴射方向の上流側の位置に設けられるとともに、デスケーリングノズル１の中心軸に対して５°〜３５°の被覆角度βで高圧水側に向けて気体を噴射するように設けられていることが好ましい。本実施形態の例では、気流噴射口３２は、主噴射口１ｆよりも１６ｍｍだけ噴射方向の上流側の位置に設けられるとともに、デスケーリングノズル１の中心軸に対して５°の被覆角度βで高圧水側に向けて気体を噴射するように設けられている。なお、このときの主水流との合流距離Ｇは１４５ｍｍである。
【００２３】
ここで、上記構成のデスケーリング装置１０において、パラメータとして圧力に基づいてデスケーリングの条件制御を行うに際し、主水流Ｐの噴射圧力と被覆気流Ａの噴射圧力との関係およびデスケーリング効率の変化を確認するために行ったスケール除去比較実験について説明する。
図３に、スケール除去比較実験に用いた圧延装置の模式図を示す。本スケール除去比較実験では、熱間圧延材Ｈとして耐サワー材を試験用鋼板として用意し、同図に示すように、試験用鋼板（Ｈ）を酸化性雰囲気の加熱炉５０に装入した。加熱温度を１１００℃とし数時間加熱後に、上下一対の圧延ロール４１を有する圧延機４０を用い、圧延温度８００℃、圧下率０％（スキンパス）で熱間圧延した。なお、搬送速度は４０ｍｐｍ（ＦＢＳ通板速度３０〜６０ｍｐｍ）とした。
【００２４】
そして、同図に示すように、圧延機４０の出側上方に試験用鋼板（Ｈ）の幅方向に並設した二本のデスケーリングノズル（１，１０１）を用いて圧延後の試験用鋼板表面のスケール除去を行った。なお、本比較実験では、エアアシストを伴うデスケ用として上記実施形態で説明したデスケーリングノズル１を一本用いており、また、エアアシストを行わない通常のデスケ用としては、上記気流噴射装置３０を有しない点以外は上記実施形態のデスケーリングノズル１と同一仕様のデスケーリングノズル１０１を一本用いている。なおまた、各デスケーリングノズル（１，１０１）は、その向かい角を１０°としたものを使用し、各デスケーリングノズル（１，１０１）の１本あたりの水量を５５．５Ｌ／ｍｉｎ（主水流圧力：１５ＭＰａ）とした結果である。
【００２５】
このスケール除去比較実験では、上記同一条件下で４枚の試験用鋼板を通板し、エアアシストを伴うデスケーリングノズル１および通常のデスケーリングノズル１０１によりそれぞれスケール除去を行った。エアアシストを伴うデスケーリングノズル１では、４枚の試験用鋼板に対し、被覆気流Ａの噴射圧力を、０．１、０．３、０．４、０．５ＭＰａにそれぞれ設定してスケール除去を行った。図４に、スケール除去を行った後の試験用鋼板表面を撮像した画像イメージを示すとともに、図５に、試験用鋼板表面の撮像画像のスケール除去部分を画像処理により面積に換算した結果のグラフを示す。なお、図４（ａ）〜（ｄ）において、各画像イメージの上側が通常のデスケーリングノズル１０１、下側がエアアシストを伴うデスケーリングノズル１でスケール除去を行った結果である。
【００２６】
図４、５に示す実験結果からわかるように、熱間圧延材Ｈへのデスケーリングで一般的に用いられる主水流の噴射圧力１５ＭＰａに対し、被覆気流Ａの噴射圧力が、０．３〜０．４ＭＰａの範囲（つまり、主水流Ｐの噴射圧力の０．０１５倍〜０．０３０倍）のときには、通常のデスケーリングノズル１０１によるデスケを行ったときに比べて１．３倍程度のデスケーリング効率（スケール除去率）の向上効果が確認され、デスケーリング効率（スケール除去率）が向上していることがわかる。一方、この範囲を外れている、被覆気流Ａの噴射圧力が０．１ＭＰａ、０．５ＭＰａであるとスケール除去率が明らかに減少しており、通常のデスケーリングノズル１０１によるデスケに対するデスケーリング効率の向上効果が十分に得られていないことがわかる。
【００２７】
次に、上記デスケーリング装置１０での条件設定およびこれを用いたデスケーリング方法、並びにその作用効果について説明する。
上記デスケーリング装置１０でデスケーリングを行うに際しては、当該デスケの対象となる熱間圧延材Ｈの材質や板厚、圧延に応じて変わる噴射距離などを考慮してデスケーリング条件を設定する。この条件設定としては、例えば、デスケーリングノズル１の噴射角度θが１０°以上３０°未満に設定するとともに、噴射距離Ｓを１００ｍｍ以上２００ｍｍ未満に設定することができる。本実施形態では、デスケーリングノズル１の噴射角度θを２５°、噴射距離Ｓを１５０ｍｍ、被覆気流の角度を５°に設定した。
【００２８】
特に、上記スケール除去比較実験の結果にも示したように、被覆気流Ａの噴射圧力については、主水流である高圧水Ｐの噴射圧力の０．０１５倍〜０．０３０倍の範囲から設定することが好ましい。本実施形態では、主水流の噴射圧力を１５ＭＰａとし、被覆気流Ａの噴射圧力を０．３ＭＰａに設定した。デスケーリング装置１０の条件設定を行った後、搬送ロール７上に載置された熱間圧延材Ｈを搬送方向Ｆに沿って搬送し、デスケーリングノズル１から高圧水として主水流Ｐを噴射するとともに、気流噴射装置３０を用いて気流噴射ノズル３１から主水流Ｐを被覆するように被覆気流Ａを噴射し、熱間圧延材表面に生じたスケールを除去する。
【００２９】
このように、本実施形態のデスケーリング装置１０によれば、パラメータとして圧力に基づいたデスケーリングの条件制御を行うに際し、被覆気流Ａの噴射圧力を、主水流Ｐの噴射圧力の０．０１５倍〜０．０３０倍で噴射してデスケーリングを行うので、上記スケール除去比較実験の結果にも示したように、主水流Ｐの噴射圧力と被覆気流Ａの噴射圧力との関係を適切に設定して、デスケーリング効率（スケール除去率）を向上させることができる。
【００３０】
また、噴射圧力の制御によって噴出速度を実質的に制御することができ、圧力制御であれば、主水流Ｐや被覆気流Ａを供給する管路に圧力計５，６を付設すればよいので、パラメータとして圧力に基づいて実用上好適に制御することができる。そして、実用化における被覆気流Ａの噴射圧力の好適範囲が明確なので、デスケの対象となる材料等に応じて、デスケーリング効率（スケール除去率）を向上させつつも、経済的な被覆気流の噴射圧力を設定することができる。
【００３１】
なお、本発明に係るデスケーリング装置は、上記実施形態に限定されるものではなく、本発明の趣旨を逸脱しなければ種々の変形が可能であることは勿論である。
例えば、上記実施形態では、気流噴射ノズル３１が複数の気流噴射口３２を有する例を示したが、これに限らず、主水流を覆うように被覆気流を噴射可能であれば、例えば気流噴射ノズル３１に対して気流噴射口３２を一つとしてもよい。しかし、高圧水としてフラットパターンの主水流を噴射する場合に、その主水流を被覆する被覆気流を形成する上で、上記実施形態の例のように複数の気流噴射口３２を配置することは好ましい。
【００３２】
また、例えば上記実施形態では、主噴射口１ｆの長軸軸線の上下それぞれに気流噴射ノズル３１（気流噴射口３２）を設けた例で説明したが、これに限らず、主水流の厚み方向の少なくとも一方の側から主水流を被覆するための被覆気流を噴射する気流噴射口を配置することによっても、当該気流噴射口を配置した側からのエアアシスト効果を得ることができる。しかし、エアアシスト効果をより好適に得る上では、主噴射口１ｆの長軸軸線の上下それぞれに気流噴射ノズル３１（気流噴射口３２）を設けることが好ましい。
【符号の説明】
【００３３】
１    デスケーリングノズル
２    ヘッダ
３    高圧水供給路
４    圧縮気体供給路
５    （高圧水用の）圧力計
６    （圧縮気体用の）圧力計
７    搬送ロール
１０    デスケーリング装置
３０    気流噴射装置
３１    気流噴射ノズル
３２    気流噴射口
４０    圧延機
４１    圧延ロール
５０    加熱炉
Ａ    被覆気流
Ｈ    熱間圧延材
Ｆ    搬送方向
Ｐ    高圧水（主水流）
θ    噴射角度
Ｓ    噴射距離
【図１】
0006603159.tif 000002
【図２】
0006603159.tif 000003
【図３】
0006603159.tif 000004
【図４】
0006603159.tif 000005
【図５】
0006603159.tif 000006